(57)【要約】      （修正有）【課題】注出孔を有するノズル部が長くても片手で容易に開閉を行え、かつ化粧時に蓋が鼻や頬に当たることがなく、快適に使用できる構造簡易な化粧料容器用キャップを提供する。【解決手段】筒状部体３は、所要高さの円筒部６を有し、これの内部には前記口部１００の雄ねじと螺合する雌ねじ６０を有しており、円筒部６の天部には前記蓋部体４の口端が嵌まり得る座面としての浅い環状凸台部７が設けられるとともに、凸台部の中央上には、所要高さのノズル部８が突設されている。ノズル部８は天端に正面側に向けて下り勾配となった塗布面８０を有し、この塗布面の中央に円筒部内に通じる注出孔９が穿設されており、注出孔９は図３のように塗布面８０の高位側が拡大する偏心状をなした傾斜口部９０を有している。【選択図】図１
0003129539.tif 000002
【実用新案登録請求の範囲】
【請求項１】
容器本体の口部に螺合される筒部を有し、頂部に注出孔を有する斜めカット状のノズル部を設けた筒状部体と、前記ノズル部の背面側に相当する筒状部体の下端付近に第１のヒンジで起伏可能に連結されたベルトと、前記注出孔に挿入すべき栓部を内頂面に突設した筒状の蓋部体とを備え、該蓋部体は、筒壁下半部位が前記ベルトの先端付近に形成した第２のヒンジで角度可変に連結され、前記第１のヒンジと第２のヒンジを介して屈折されることにより、蓋部体開き時に蓋部体が筒状部体から離間しかつノズル部頂点よりも低いレベルに位置し得るように構成されていることを特徴とする化粧料容器用キャップ。
【請求項２】
筒状部体はノズル部の基端部位に蓋部体の口端が当接する座面部を有し、該座面部からノズル部の上端近くに到る領域に平行状の一対の突壁が設けられており、該突壁間には第１のヒンジに到る領域まで前記ベルトを嵌める縦溝が設けられており、蓋部体は第２のヒンジと繋がる位置を含めその両側に前記平行状の突壁に対応する幅の切欠部が設けられている請求項１に記載の化粧料容器用キャップ。
【請求項３】
ノズル部は天端に正面側に向けて下り勾配となった塗布面を有し、この塗布面の中央に筒状部体内に通じる注出孔が穿設され、かつ、注出孔は塗布面の高位側が拡大した偏心状の傾斜口部を有している請求項１に記載の化粧料容器用キャップ。
【請求項４】
容器本体がチューブからなる口紅容器である請求項１ないし３に記載の化粧料容器用キャップ。
【考案の詳細な説明】
【技術分野】
【０００１】
本考案は化粧料容器用キャップとりわけ流動性化粧料を充填し塗布するための容器に好適なキャップに関する。
【背景技術】
【０００２】
化粧料たとえば口紅は従来一般に固形化したものが用いられ、繰り出し構造の容器に装着され、使用時に繰り出して塗布を行うようになっていたが、最近では、液状、クリーム状、あるいはペースト状などの流動性のある正常のものが用いられ、これを容器に設けた抽出口つきの塗布部から押出して塗布するタイプの物が現れている。
【０００３】
しかし、従来のこの種の容器においては、キャップが別部品とされ、塗布部に着脱する構造となっていたので、化粧の際の取り扱いが煩雑であるとともに、キャップが紛失しやすいという問題があった。
【０００４】
洗浄化粧料の容器においては、先行文献１のように、容器の口部に固定される筒状体と、これとヒンジでつながった蓋を備えたヒンジキャップが提案されている。
【０００５】
しかし、この先行技術においては、ヒンジが筒状体の上端縁の肩を支点として設けられているので、開いたときの蓋の傾斜角度が浅く、したがって、手のひらに化粧料を取出すような用途では問題がないが、顔の一部たとえば唇にダイレクトに化粧料を塗布する容器のキャップに適用しようとすると、蓋が頬に当たって塗布操作を妨げたり、不快感を与えたりするので、適用が困難であった。
【特許文献１】特開２００６−２０６１６０号公報
【考案の開示】
【考案が解決しようとする課題】
【０００６】
本考案は前記のような問題点を解消するためになされたもので、その目的とするところは、注出孔を有するノズル部が長くても片手で容易に開閉を行え、かつ化粧時に蓋が鼻や頬に当たることがなく、快適に使用できる構造簡易な化粧料容器用キャップを提供することにある。
【課題を解決するための手段】
【０００７】
上記目的を達成するため本考案は、容器本体の口部に螺合される筒部を有し、頂部に注出孔を有する斜めカット状のノズル部を設けた筒状部体と、前記ノズル部の背面側に相当する筒状部体の下端付近に第１のヒンジで起伏可能に連結されたベルトと、前記注出孔に挿入すべき栓部を内頂面に突設した筒状の蓋部体とを備え、該蓋部体は、筒壁下半部位が前記ベルトの先端付近に形成した第２のヒンジで角度可変に連結され、前記第１のヒンジと第２のヒンジを介して屈折されることにより、蓋部体開き時に蓋部体が筒状部体から離間しかつノズル部頂点よりも低いレベルに位置し得るように構成されていることを特徴としている。
【考案の効果】
【０００８】
本考案によるときには、蓋部体と筒状部体がベルトで繋がり、しかもベルトは筒状部体側面下端付近の第１のヒンジと、筒状蓋部体の筒壁下半部位の第２のヒンジの２箇所で折り曲げ自在であるから、ノズル部の高さが大きくても片手で容易に蓋部体の開け閉めを行なうことができる。
また、ノズル部を高くすることができるので、使用時の塗布が容易であるとともに、蓋部体が第１のヒンジと第２のヒンジにより筒状部体から大きく離間しかつ筒状部体の頂点よりも低いレベルに位置され得るので、使用時に鼻や頬などに蓋部体が接触することがなく、快適な化粧を行うことができる。
【考案を実施するための最良の形態】
【０００９】
筒状部体はノズル部の基端部位に蓋部体の口端が当接する座面部を有し、該座面部からノズル部の上端近くに到る領域に平行状の一対の突壁が設けられており、該突壁間には第１のヒンジに到る領域まで前記ベルトを嵌める縦溝が設けられており、蓋部体は第２のヒンジと繋がる位置を含めその両側に前記平行状の突壁に対応する幅の切欠部が設けられている。
【００１０】
これによれば、蓋部体を閉じたときに、ベルトが筒状部体の側面と面一となるので外観がすっきりとして体裁がよく、また、蓋部体が筒状部体に被さる際に、切欠部の両端が突壁の側面に沿ってガイドされるので、蓋部体がぶれることなく正確に角度変化され、栓部をノズル部の注出孔に正確に嵌めることができる。また、突壁の上端面が蓋部体の切欠部端に対する梃子ともなり得るので、蓋部体が垂直状になり口端がノズル部の基端部位に当接する際の動作を円滑に行なわせることができる。
【００１１】
ノズル部は天端に正面側に向けて下り勾配となった塗布面を有し、この塗布面の中央に筒状部体内に通じる注出孔が穿設され、かつ、注出孔は塗布面の高位側が拡大した偏心状の傾斜口部を有している。
これによれば、高位側が拡大した偏心状の傾斜口部により押出された化粧料の広がりが得られるので、広い面に化粧料を効率よく塗布することができ、しかも、閉じ行程末期に蓋部体が傾斜状から垂直状になる時に蓋部体の栓部をスムーズにガイドして注出孔に垂直に挿入することができる。
【実施例１】
【００１２】
以下添付図面を参照して本考案の実施例を説明する。
図１ないし図６は本考案による化粧料容器用キャップの一実施例を示している。
図１において、１は内部に液状、クリーム状、ペースト状など流動性のある化粧料Ａを収容し、かつ押し出し性能を有する容器本体であり、この例ではチューブからなっている。容器本体１は上端部に雄ねじを有する口部（取出し筒部）１００を有している。
２は本考案キャップであり、前記容器本体１の口部１００に螺合することで固定されている。
【００１３】
前記本考案キャップ２は、基本的には、筒状部体３と、筒状の蓋部体４およびそれら筒状部体３と蓋部体４を繋ぐベルト５を合成樹脂で一体成形したものである。
【００１４】
前記筒状部体３は、図１（ｃ）や図３のように所要高さの円筒部６を有し、これの内部には前記口部１００の雄ねじと螺合する雌ねじ６０を有しており、円筒部６の天部には前記蓋部体４の口端が嵌まり得る座面としての浅い環状凸台部７が設けられるとともに、凸台部の中央上には、所要高さのノズル部８が突設されている。
前記ノズル部８は天端に正面側に向けて下り勾配となった塗布面８０を有し、この塗布面の中央に円筒部内に通じる注出孔９が穿設されており、注出孔９は図３のように塗布面８０の高位側が拡大する偏心状をなした傾斜口部９０を有している。
これは化粧料の広がりを得る作用のほか、後述する蓋部体４が閉じ行程末期に傾斜状から垂直状になる時に蓋部体４の栓部をスムーズに注出孔にガイドする作用を得るためである。
【００１５】
前記ノズル部８の背面側には、上端面が前記塗布面８０の最下レベルとほぼ一致する平行状の一対の突壁１０が設けられており、該突壁１０は前端部分が前記円筒部６の後端に沿うように下方に伸び、これにより図２(ａ)のように背面から見て上向きコ状の枠部１１を構成し、この枠部内に図４と図５のように、前記ベルト幅とほぼ同じ幅の縦溝１２が形成されている。
【００１６】
前記蓋部体４は前記筒状部体３の円筒部６と同じ直径の筒部１３とこれより適度に大きな径の天壁部１４とを有し、天壁部１４の内面中央部位には図３や図４のように、閉じ時に前記ノズル部８の注出孔９に挿入される棒状の栓部１５を突設している。栓部１５は注出孔９への挿入状態を安定に保持するため、先端外周に数段の摩擦用部１５０を有している。
【００１７】
前記ベルト５は前記枠部１１の高さとほぼ一致する長さを有し、基端には薄肉化により構成された第１のヒンジ部５０を有し、該第１のヒンジ部５０が、筒状部体３の円筒部下端近傍に位置する枠部１１の下端部位（縦溝の下端）に略９０度折り曲げ可能に連結されている。
また、ベルト５の先端は薄肉化により構成された第２のヒンジ部５１を有し、該第２のヒンジ部５１は、前記蓋部体４の筒部背面位置でかつ高さ方向では筒部の中位付近に、略９０度折り曲げ可能に一体に連結されている。
【００１８】
そして、前記蓋部体４の筒部１３には、口端から第２のヒンジ部位置にかけて、前記一対の突壁１０の幅と略同等の幅の上向きコ状をなした切欠部１３０が設けられており、切欠部１３０の深さ方向端部には、第２のヒンジ部５１の両側に突壁１０の厚みと略同等の幅の対向面を有している。
【００１９】
本考案の作用を説明すると、蓋部体を閉じた状態においては、図１（ａ）と図２（ａ）、（ｂ）及び図３のように、蓋部体４の栓部１５がノズル部８の注出孔９に深く挿入嵌され、摩擦用部１５０で接触しているので、蓋部体４はみだりに開くことがない。そして、ベルト５は第１のヒンジ部５０と第２のヒンジ部５１が真直ぐになって筒状部体３の縦溝１２にぴったりと嵌まっているので、図２（ｂ）のように側面がフラットでスマートであり、商品価値を高くすることができる。また、蓋部体４の割円部分がヒンジであることが分かるので、開披操作時に取り紛れることも少ない。
【００２０】
化粧料を塗布するときには、正面側すなわちベルト５と反対側の蓋部体天壁部１４を指で上方に押し上げる。こうすれば、蓋部体４の栓部１５がノズル部８の注出孔９から抜け出し始め、偏心状の拡大した傾斜口部９０によって円滑にガイドされ、同時に第２のヒンジ部５１が屈折することで図７（ｄ）〜図７（ｂ）のように蓋部体４が垂直の状態から傾動する。このときに、蓋部体４の切欠部１３０が一対の突壁１０によりガイドされるので、ノズル部８の突出高さが大きくてもスムーズに動作させることができる。
【００２１】
上記栓部１５がノズル部８の注出孔９から抜け出してノズル部８の傾斜上端から離間した瞬間、ベルト５がフリーになる軽い衝撃によりばね作用が発生し、図７（ａ）のように、第１のヒンジ部５０を介してベルト５が後方に傾動し、指先で蓋部体４を後方に倒していくことで、図６のように第１のヒンジ部５０が屈曲度を増し、蓋部体４が筒状部体３から離間して後方に移動する。
【００２２】
そして、第１のヒンジ部５０は筒状部体３の円筒部下端近傍に設けられており、第１のヒンジ部５０の作用で図１（ｃ）や図４のようにベルト５が水平になる角度あるいはそれ以上の角度に屈折できるので、蓋部体４は筒状部体３から遠くに位置され、かつ第２のヒンジ部５１により蓋部体４は開口が垂直に向く状態あるいはこれを超えるまで角度変化することができる。
【００２３】
この状態で、容器本体１を持ち、ノズル部８の塗布面８０を唇に当て、容器本体１を押圧するなどして化粧料Ａを押出せば、注出孔９から拡大した偏心状の傾斜口部９０により広がり、唇に塗布される。図８はこの状態を示しており、蓋部体４は前記のように後方に大きく離間し、かつ筒状部体３の上端レベルよりも下方に位置しているので、蓋部体４が鼻や頬に当たったり接近したりすることがなく、軽快に塗布を行なうことができる。
【００２４】
使用後は、図６のように指先を蓋部体４の天壁部１４に当てて押し上げればよく、図７（ａ）〜（ｄ）のように第１のヒンジ部５０によりベルト５が水平に近い角度から垂直に近づくように傾動して蓋部体４が持ち上げられ、蓋部体４の切欠部１３０が一対の突壁１０によりガイドされながら、第２のヒンジ部５１により蓋部体４は傾斜状から垂直に近い角度に移行し、栓部１５が偏心状の傾斜口部９０の端から注出孔内へとガイドされ、注出孔９に栓部１５が深く挿入されることにより蓋部体４は垂直になり、開口部が筒状部体３の環状凸台部７に嵌まることで閉鎖される。このときには、ベルト５は縦溝１２に嵌まるので前記のように体裁のよいものとなる。
【００２５】
図示するものは本考案の一例であり、これに限定されるものではない。
１）容器本体1はチューブでなく、回転式などのシリンダー内蔵タイプであってもよい。
２）化粧料Ａは口紅でなく、アイブローや頬紅などであってもよく、本考案のキャップはこれらの塗布用に用いることができる。
【図面の簡単な説明】
【００２６】
【図１】（ａ）は本考案による化粧料容器用キャップを口紅容器のキャップに適用した一実施例を示す部分切欠斜視図、（ｂ）はキャップを開いた状態の斜視図、（ｃ）は（ｂ）の拡大図である。
【図２】（ａ）は閉じ状態の背面図、（ｂ）は側面図である。
【図３】図２（ａ）のＸ−Ｘ線に沿う拡大断面図である。
【図４】キャップを最大近くに開いた状態の縦断側面図である。
【図５】キャップを最大近くに開いた状態の平面図である。
【図６】キャップを開いた状態から閉じるときの開始状態を示す縦断側面図である。
【図７】（ａ）〜（ｄ）は閉じ行程を段階的に示す説明図である。
【図８】使用状態の斜視図である。
【符号の説明】
【００２７】
１  容器本体
２  本考案にかかるキャップ 
３  筒状部体
４  蓋部体
５  ベルト
８  ノズル部
９  注出孔
１０  突壁
１２  縦溝
１５  栓部
５０  第１のヒンジ部
５１  第２のヒンジ部
１３０  切欠き
【図１】
0003129539.tif 000003
【図２】
0003129539.tif 000004
【図３】
0003129539.tif 000005
【図４】
0003129539.tif 000006
【図５】
0003129539.tif 000007
【図６】
0003129539.tif 000008
【図７】
0003129539.tif 000009
【図８】
0003129539.tif 000010
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
容器本体の口部に螺合される筒部を有し、頂部に注出孔を有する斜めカット状のノズル部を設けた筒状部体と、前記ノズル部の背面側に相当する筒状部体の下端付近に第１のヒンジで起伏可能に連結されたベルトと、前記注出孔に挿入すべき栓部を内頂面に突設した筒状の蓋部体とを備え、該蓋部体は、筒壁下半部位が前記ベルトの先端付近に形成した第２のヒンジで角度可変に連結され、前記第１のヒンジと第２のヒンジを介して屈折されることにより、蓋部体開き時に蓋部体が筒状部体から離間しかつノズル部頂点よりも低いレベルに位置し得るように構成されていることを特徴とする化粧料容器用キャップ。
【請求項２】
筒状部体はノズル部の基端部位に蓋部体の口端が当接する座面部を有し、該座面部からノズル部の上端近くに到る領域に平行状の一対の突壁が設けられており、該突壁間には第１のヒンジに到る領域まで前記ベルトを嵌める縦溝が設けられており、蓋部体は第２のヒンジと繋がる位置を含めその両側に前記平行状の突壁に対応する幅の切欠部が設けられている請求項１に記載の化粧料容器用キャップ。
【請求項３】
ノズル部は天端に正面側に向けて下り勾配となった塗布面を有し、この塗布面の中央に筒状部体内に通じる注出孔が穿設され、かつ、注出孔は塗布面の高位側が拡大した偏心状の傾斜口部を有している請求項１に記載の化粧料容器用キャップ。
【請求項４】
容器本体がチューブからなる口紅容器である請求項１〜３のいずれか１項に記載の化粧料容器用キャップ。